(57)【要約】      （修正有）【課題】構造が簡単で、収納が容易であり、携帯もし易いデータケーブルを提供する。【解決手段】データケーブルは、ケーブル本体と、ケーブル本体の両端に設置されたインタフェースコネクタ４、５とを含み、ケーブル本体の外周には、各々にそれぞれＮ極及びＳ極が設置された複数の磁性部材２が外嵌され、ケーブル本体を束が上下に延びる方向に重ねて巻くと、上下に隣接した２つの磁性部材２の接触面の磁極が反対となり、互いに磁気吸引されるようになっているので、ケーブル全長がコンパクトな収納状態に保持される。【選択図】図１
0003233058.tif 000002
【実用新案登録請求の範囲】
【請求項１】
ケーブル本体（１）と、前記ケーブル本体（１）の両端に設置されたインタフェースとを含む収納しやすいデータケーブルであって、前記ケーブル本体（１）の外周には、各々にそれぞれＮ極及びＳ極が設置された複数の磁性部材（２）が外嵌され、前記ケーブル本体（１）が重ねて巻かれるか又は折り曲げられる場合、ケーブル本体を重ねて巻くか又は折り曲げると、巻かれた束が延びる方向または折り曲げた束が延びる方向に隣接した２つの前記磁性部材（２）の接触面の磁極が反対であり、かつ互いに磁気吸引される、ことを特徴とする収納容易なデータケーブル。
【請求項２】
前記磁性部材（２）は、前記ケーブル本体（１）に対して軸周りに回転することができる、ことを特徴とする請求項１に記載のデータケーブル。
【請求項３】
前記ケーブル本体（１）の外周には、複数本のスリーブ（３）がさらに外嵌され、隣接する前記スリーブ（３）の間に前記磁性部材（２）が設置される、ことを特徴とする請求項１のいずれか一項に記載のデータケーブル。
【請求項４】
前記スリーブ（３）は、変形可能な弾性材質である、ことを特徴とする請求項３に記載のデータケーブル。
【請求項５】
前記スリーブ（３）の表面は、前記磁性部材（２）の表面と面一である、ことを特徴とする請求項３に記載のデータケーブル。
【請求項６】
全ての前記スリーブ（３）の長さが等しい、ことを特徴とする請求項３に記載のデータケーブル。
【請求項７】
全ての前記スリーブ（３）は、少なくとも２種の異なる色のスリーブ（３）を含む、ことを特徴とする請求項３に記載のデータケーブル。
【請求項８】
前記磁性部材（２）は、１０個であり、前記スリーブ（３）は、９本であり、８つの前記磁性部材（２）は、隣接する前記スリーブ（３）の間にそれぞれ設置され、別の２つの前記磁性部材（２）は、前記ケーブル本体（１）の両端のインタフェースに近い端にそれぞれ設置される、ことを特徴とする請求項３に記載のデータケーブル。
【請求項９】
前記ケーブル本体（１）の両端に設置されたコネクタは、それぞれＵＳＢインタフェースコネクタ（４）及びデバイスインタフェースコネクタ（５）であり、或いは、前記ケーブル本体（１）の両端に設置されたコネクタは、いずれもｔｙｐｅ−ｃインタフェースコネクタである、ことを特徴とする請求項１に記載のデータケーブル。
【考案の詳細な説明】
【技術分野】
【０００１】
本考案は、データケーブルの技術分野に関し、特に、収納しやすいデータケーブルに関する。
【背景技術】
【０００２】
データケーブルは、電子製品を充電するか又はデータを伝送するコードである。従来のデータケーブルは、収納しにくく、収納時に絡まってケーブル外被などを破損しやすく、またデータケーブルの長さを制御できず、使用しにくい。
【０００３】
現在のデータケーブルの一般的な収納方式では、結束バンド又は金属バンドなどの補助部材を使用してデータケーブルを収納するようにしており、非常に煩雑であり、かつ結束バンド又は金属バンドなどの補助部材が紛失したり、破損したりしやすい。
【考案の概要】
【考案が解決しようとする課題】
【０００４】
従来技術の不足を解消するために、本考案は、構造が簡単で収納容易なデータケーブルを提供することを、その目的とする。
【課題を解決するための手段】
【０００５】
本考案は、その技術的課題を解決するために、以下の技術手段を使用する。
【０００６】
収納容易なデータケーブルは、ケーブル本体と、前記ケーブル本体の両端に設置されたコネクタとを含み、前記ケーブル本体の外周には、各々に、それぞれＮ極及びＳ極が設置された複数の磁性部材が外嵌され、前記ケーブル本体が重ねて巻かれるか又は折り曲げられる場合、巻かれた束が延びる方向または折り曲げた束が延びる方向に隣接した２つの前記磁性部材の接触面の磁極が反対となり、互いに磁気吸引するようになっている。
【０００７】
好ましくは、前記磁性部材は、前記ケーブル本体に対して軸周りに回転することができる。
好ましくは、前記ケーブル本体の外周には、複数本のスリーブがさらに外嵌され、隣接する前記スリーブの間に前記磁性部材が設置される。
好ましくは、前記スリーブは、変形可能な弾性材質である。
好ましくは、前記スリーブの表面は、前記磁性部材の表面と面一である。
好ましくは、全ての前記スリーブの長さが等しい。
好ましくは、全ての前記スリーブは、少なくとも２種の異なる色のスリーブを含む。
好ましくは、前記磁性部材は、１０個であり、前記スリーブは、９本であり、８つの前記磁性部材は、隣接する前記スリーブの間にそれぞれ設置され、別の２つの前記磁性部材は、前記ケーブルの両端のコネクタに近い端にそれぞれ設置される。
好ましくは、前記ケーブル本体の両端に設置されたコネクタは、それぞれＵＳＢインタフェースコネクタ及びデバイスインタフェースコネクタであり、或いは、前記ケーブル本体の両端に設置されたコネクタは、いずれもｔｙｐｅ−ｃインタフェースコネクタである。
【考案の効果】
【０００８】
本考案の有益な効果は、以下のとおりである：本考案に係るデータケーブルについて、ケーブル本体の外周には、各々にそれぞれＮ極及びＳ極が設置された複数の磁性部材が外嵌され、ケーブル本体を重ねて巻くか又は折り曲げると、巻かれた束が延びる方向または折り曲げた束が延びる方向に隣接した２つの前記磁性部材の接触面の磁極が反対となり、互いに磁気吸引されるようになっているので、一列に並んだ複数の磁性部材全体が磁着固定され、ケーブル本体の全長がコンパクトな収納状態に保持される。この結果、データケーブルの収納構造がより簡単となり、かつデータケーブルの収納及び携帯が容易となる。
【図面の簡単な説明】
【０００９】
【図１】本考案のデータケーブルの一実施例の収納状態時を示す概略図である。
【図２】本考案のデータケーブルの一実施例の展開時を示す部分概略図である。
【図３】本考案のデータケーブルの一実施例の部分分解を示す概略図である。
【図４】本考案のデータケーブルの別の実施例の収納状態時を示す概略図である。
【考案を実施するための形態】
【００１０】
なお、本考案において、逆に説明しない場合、使用される方位用語、例えば「上、下、頂、底、前、後」は、通常、図面に示す方向に関するものであるか、又は部材自体にとって鉛直、垂直又は重力方向に関するものであり、同様に、理解及び説明の便宜上、「内、外」は、各部材自体の輪郭に対する内、外を指すが、上記方位用語は、本考案を制限するものではない。
【００１１】
図１〜図４に示すように、本考案に係る収納しやすいデータケーブルの一実施例の概略構成図である。
【００１２】
収納しやすいデータケーブルは、ケーブル本体１と、ケーブル本体１の両端に設置されたコネクタとを含み、ケーブル本体１の両端に設置されたコネクタは、それぞれ、電子機器を接続するＵＳＢインタフェースコネクタ４及びデバイスインタフェースコネクタ５であり、デバイスインタフェースコネクタ５は、ｌｉｇｈｔｎｉｎｇインタフェースコネクタ、ｔｙｐｅ−ｃインタフェースコネクタ及びｍｉｃｒｏ−ｕｓｂインタフェースコネクタ４のうちの一種又は複数種の組み合わせであってよいが、これらに限定されない。図４に示すように、他の実施例では、ケーブル本体１の両端に設置されたコネクタは、いずれもｔｙｐｅ−ｃインタフェースコネクタであってもよい。
【００１３】
ケーブル本体１の外周には、各々にそれぞれＮ極またはＳ極が設置された複数の磁性部材が軸方向に分かれて外嵌される。本実施例では、ケーブル本体１の軸方向に沿って一定の距離ごとに磁性部材２が設置され、ケーブル本体１を重ねて巻くか又は折り曲げる場合、巻かれた束が延びる方向または折り曲げた束が延びる方向に隣接する磁性部材２の接触面の磁極が反対となり、互いに磁気吸引されるようになっている。
【００１４】
本実施例では、図１に示すように、データケーブル全体が例えば上下方向に束が延びるようにコイル状に重ねて巻かれた場合、上下に隣接する２つの磁性部材２の接触面の磁極が反対であり、互いに磁気吸引されるようになっている。上下に隣接する２つの磁性部材２同士が互いに吸引固定されることにより、上下に一列に並んだ複数の磁性部材全体が磁着固定され、ケーブル本体の全長がコンパクトな収納状態に保持される。この結果、データケーブルの収納構造がより簡単となり、かつデータケーブルの収納及び携帯が容易となる。
【００１５】
具体的には、ケーブル本体１の外周には、複数本のスリーブ３がさらに軸方向に分かれて外嵌され、隣接するスリーブ３の間に１つの磁性部材２が設置され、スリーブ３により磁性部材２に対するストッパ作用を実現し、スリーブ３は、さらに内部のケーブル本体１を保護し、データケーブルの耐用年数を延長し、ケーブル本体１が長時間使用されることによる人為的な摩耗を防止することができる。
【００１６】
本実施例では、スリーブ３は、変形可能な弾性材質であり、例えば、ゴムスリーブであり、スリーブ３のケーブル本体１の外周への密着を容易にし、収縮変形して磁性部材２を一定の距離範囲内に移動させ、収納の利便性を向上させることができる。
【００１７】
本考案では、使用時に、スリーブ３は、ケーブル本体１と締まり嵌めされ、磁性部材２は、ケーブル本体１に対して軸周りに自在に回転することができ、各磁性部材２にいずれもＮ極及びＳ極があるため、磁性部材２が任意に回転することにより磁性部材２同士の異極が迅速に位置合わせて吸引することを保証し、迅速な収納を実現し、さらに、様々な異なる形態の磁気吸引方式を達成することができる。
【００１８】
具体的には、スリーブ３及び磁性部材２がケーブル本体１に外嵌される場合、スリーブ３の表面は、磁性部材２の表面と面一であるため、データケーブル全体の表面が滑らかで整然としており、ユーザの使用感を効果的に向上させる。
【００１９】
具体的には、本実施例における磁性部材２は、１０個であり、スリーブ３は、９本であり、８つの磁性部材２は、隣接するスリーブ３の間にそれぞれ設置され、別の２つの磁性部材２は、ケーブル本体１の両端のインタフェースコネクタに近い端にそれぞれ設置される。本実施例では、全てのスリーブ３の長さが等しい。全てのスリーブ３が同じ長さであるため、上記全ての磁性部材２を等間隔で配置することができ、図１に示すように、データケーブル全体が上下方向に束が延びるようにコイル状に重ねて巻かれた場合、ケーブルが上下に重なって配列され、１０個の磁性部材２が２組に分けられ、２組のうちの上下に隣接する磁性部材２同士が互いに吸引し、整列している。
【００２０】
当然のことながら、他の実施例では、さらに実際の必要又は意図に応じて任意の数のスリーブ３及び磁性部材２を設置することができ、ケーブル本体１を収納する時に、任意に重ねて巻くか又は折り曲げることにより様々な形状に巻いて、迅速に収納することができる。
【００２１】
データケーブルの収納の美しさをさらに向上させるために、本実施例では、各スリーブ３の色はそれぞれ異なる。本実施例におけるケーブル本体１は、丸型ケーブルであり、磁性部材２は丸型ケーブルに適合する磁気リングである。
【００２２】
説明すべきものとして、本考案の実施例におけるデータケーブルは、充電ケーブルであってもよく、伝送ケーブルであってもよい。
【００２３】
以上は、具体的な内容を組み合わせて提供される１つ以上の実施形態であり、本考案の具体的な実施形態は、これらの説明に限定されるものであると認められない。本考案の方法、構成などと近似し、同等であるか、又は本考案の構想で行われたいくつかの技術推定又は置換は、いずれも本考案の保護範囲に属するものと見なされるべきである。
【符号の説明】
【００２４】
１  ケーブル本体
２  磁性部材
３  スリーブ
４  ＵＳＢインタフェースコネクタ
５  デバイスインタフェースコネクタ
【図１】
0003233058.tif 000003
【図２】
0003233058.tif 000004
【図３】
0003233058.tif 000005
【図４】
0003233058.tif 000006